(57)【要約】【課題】データ処理装置で、画像や文書などの複数種類のデータを多数読み込み保存して選択的に貼り付け処理する場合でも、使い勝手が悪化することなく、所望のデータを容易に選択指定して簡単に貼付け処理する。【解決手段】文書データ表示Ｇａや画像データ表示Ｇｂからなるデータ表示画面Ｇにあって、任意のデータ範囲を指定してコピーあるいはカットの指示を行うと、対象となるデータの属性に対応して同データ表示画面Ｇ上に表示される文字用ウインドウｗａまたは画像用ウインドウｗｂまたはファイル用ウインドウｗｃに対して前記範囲指定された対象データが抽出移動されて表示保存される。そして、貼り付け対象とする前記データ属性別ウインドウｗａ，ｗｂ，ｗｃを表示させて当該ウインドウ表示された所望のデータ属性の一覧データから選択指定して容易に所望のデータを貼り付け処理することができる。【選択図】図７
2011014150.tif 000002
【特許請求の範囲】
【請求項１】
複数種のデータを処理するデータ処理装置であって、
各種データをそのデータの属性別の記憶領域に保存する記憶手段と、
保存対象となるデータを指定する指定手段と、
この指定手段で指定されたデータの属性を判別する判別手段と、
この判別手段で判別された属性に対応する保存先の記憶領域を特定し、その記憶領域に対応するウインドウを表示する表示手段と、
を備えたことを特徴とするデータ処理装置。
【請求項２】
前記表示手段は、前記各属性に対応する記憶領域の各ウインドウを表示するものであり、前記判別手段で判別された属性に対応する記憶領域のウインドウを他の属性に対応する記憶領域のウインドウに優先して表示する、ことを特徴とする請求項１記載のデータ処理装置。
【請求項３】
前記指定手段で指定されたデータを保存する際に、外部機器との接続有無を判別する第２判別手段、を更に備え、
前記記憶手段は、外部機器との対応関係にある記憶領域を更に有し、
前記表示手段は、前記第２判別手段で外部機器との接続があると判別された際は、当該外部機器との対応関係にある記憶領域に対応するウインドウを表示する、ことを特徴とする請求項１あるいは２記載のデータ処理装置。
【請求項４】
複数種のデータを処理するデータ処理装置のコンピュータを制御するためのプログラムであって、
前記コンピュータを、
各種データをそのデータの属性別の記憶領域に保存する記憶手段、
保存対象となるデータを指定する指定手段、
この指定手段で指定されたデータの属性を判別する判別手段、
この判別手段で判別された属性に対応する保存先の記憶領域を特定し、その記憶領域に対応するウインドウを表示する表示手段、
として機能させるようにしたコンピュータ読み込み可能なプログラム。
【発明の詳細な説明】
【技術分野】
【０００１】
本発明は、各種のデータを処理するデータ処理装置、およびプログラムに関する。
【背景技術】
【０００２】
従来、例えばパーソナルコンピュータを用いた文書データや画像データの編集機能を利用して、表示画面上に表示させた文書データや画像データの任意の範囲を指定してコピーや移動の処理を行うことができる。
【０００３】
この際、１指定範囲毎にデータのコピーや移動の作業を行うのではなく、範囲指定して抽出した複数のデータをそれぞれ１つのウインドウに関係付けて記憶保存しておくことで、この予め記憶した複数のデータをウインドウに配列して表示させ、このウインドウ表示された複数のデータの中から任意のデータを選択的に指定することで、所望の位置に所望の保存データを簡単に貼り付け処理することが可能なデータ処理装置が考えられている（例えば、特許文献１参照）。
【先行技術文献】
【特許文献】
【０００４】
【特許文献１】特開平０７−１４６８６３号公報
【発明の概要】
【発明が解決しようとする課題】
【０００５】
しかしながら、前記従来のデータ処理装置では、ウインドウに関係付けて記憶保存しておくデータの数が多くなると、その貼り付け作業に伴い表示されるウインドウ内に文書や画像などの複数種類のデータが多数混在して配列表示されることになるため、使い勝手が悪化し、所望のデータを容易に選択指定して簡単に貼付け処理することができなくなる問題がある。
【０００６】
本発明の目的は、画像や文書などの各種属性の異なったデータをそれぞれ保存する場合にも、その各データの属性に応じて、その保存先をウインドウを直ちに表示できるようにすることである。
【課題を解決するための手段】
【０００７】
本発明の請求項１は、複数種のデータを処理するデータ処理装置であって、複数種のデータをそのデータの属性別の記憶領域に保存する記憶手段と、保存対象となるデータを指定する指定手段と、この指定手段で指定されたデータの属性を判別する判別手段と、この判別手段で判別された属性に対応する保存先の記憶領域を特定し、その記憶領域に対応するウインドウを表示する表示手段と、を備えたことを特徴とする。
【発明の効果】
【０００８】
本発明によれば、データ保存時は、そのデータの属性に対応する保存先の記憶領域のウインドウが自動選択されて表示されるので、各種データの保存操作を簡易に行うことができる。
【図面の簡単な説明】
【０００９】
【図１】本発明のデータ処理装置の実施形態に係るデータ処理システムの電子回路の構成を示すブロック図。
【図２】前記データ処理システムの外観の構成を示す図。
【図３】前記データ処理システムにおけるデータ処理装置１０のメモリ１６に設定される各種データの記憶領域を示す図。
【図４】前記データ処理装置１０による複写・貼付の起動処理を示すフローチャート。
【図５】前記データ処理装置１０による複写・貼付の起動処理に応じて起動される複写・貼付処理を示すフローチャート。
【図６】前記データ処理装置１０による複写・貼付処理での「デジカメ優先ウインドウ表示」（ステップＡ９）に伴い起動されるデジカメ接続ウインドウ切り替え処理を示すフローチャート。
【図７】前記データ処理装置１０での複写・貼付処理に伴いデータ表示画面Ｇ上に表示されるデジカメ非接続時対象別ウインドウＷ１および各種対象別ウインドウＷｎの画面表示状態を示す図。
【図８】前記データ処理装置１０での複写・貼付処理に伴いデータ表示画面Ｇ上に表示されるデジカメ優先対象別ウインドウＷ２を示す図。
【発明を実施するための形態】
【００１０】
以下図面により本発明の実施の形態について説明する。
図１は、本発明のデータ処理装置の実施形態に係るデータ処理システムの電子回路の構成を示すブロック図である。
図２は、前記データ処理システムの外観の構成を示す図である。
【００１１】
このデータ処理システムのデータ処理装置１０は、コンピュータである制御部（ＣＰＵ）１１を備えている。この制御部（ＣＰＵ）１１は、ハードディスクやフラッシュメモリなどの記憶装置１２に予め記憶されているメイン処理プログラムおよびデータ処理プログラム、あるいはＣＤ−ＲＯＭやＦＤなどの外部記録媒体１３から読み取られて記憶装置１２に記憶されたデータ処理プログラム、あるいは外部ＩＦ制御部１４により通信接続される通信ネットワーク（インターネット）Ｎ上のＷｅｂサーバ１５から取り込まれて記憶装置１２に記憶されたデータ処理プログラムなどの各種の制御プログラムに従い、メモリ１６を作業用メモリ１７として回路各部の動作制御を実行する。
【００１２】
制御部（ＣＰＵ）１１には、前記記憶装置１２、外部ＩＦ制御部１４、メモリ１６が接続される他に、各種の文字入力操作や機能の指定操作、データの選択・範囲の指定操作、実行の指示操作などを行うためのキー入力部１７、地上波デジタル放送を受信するデジタル放送受信部１９、各種のデータを表示するための表示部２２などが接続される。
また、制御部（ＣＰＵ）１１には、外部ＩＦ制御部１４を介して通信ネットワークＮが通信接続される他、前記キー入力部１７と同様の操作処理を表示画面上のポインタを操作して行うためのマウス１８、デジタルカメラ（「デジカメ」とも称す）２１と接続するためのクレードル２０が接続される。
【００１３】
このデータ処理装置１０では、例えば通信ネットワーク（インターネット）Ｎを経由して取り込んだ各種のマルチメディアデータや、デジタル放送受信部１９にて受信された各種のマルチメディアデータ、ＤＶＤ−ＲＯＭ、ＣＤ−ＲＯＭ、ＦＤなどの外部記録媒体１３から取り込んだ各種のマルチメディアデータ、あるいはキー入力部１７の操作に応じて入力された文書データ、デジタルカメラ２１から取り込まれた画像データなど、様々な属性の文書データや画像データなどを表示部２２で表示させて適宜編集・加工処理する機能を有するが、表示されている任意のデータ範囲を指定して当該指定範囲内のデータを取り込み保存したり、またこの保存した各種のデータを表示されているデータ上の任意の位置（範囲）を指定して貼り付けしたりする際には、対象とする個々のデータはその種類や属性（文字／画像／ファイル／デジカメ）毎に区別されたウインドウｗａ，ｗｂ，ｗｃ，ｗｐ（図７・図８参照）により分類保存されて管理される。
【００１４】
図３は、前記データ処理システムにおけるデータ処理装置１０のメモリ１６に設定される各種データの記憶領域を示す図である。
メモリ１６には、表示データメモリ１６ａ、モードデータメモリ１６ｂ、範囲指定データメモリ１６ｃ、デジカメ接続フラグメモリ１６ｄ、対象別ウインドウメモリ１６ｅ、デジカメデータ取り込みメモリ１６ｆなど、各種の作業用の記憶領域が確保される。
表示データメモリ１６ａには、表示部２２の表示画面上に表示させるための文書データあるいは画像データあるいはその混在データからなる表示データが記憶される。
モードデータメモリ１６ｂには、文書処理モードや画像処理モード、マルチメディア処理モード、またそのデータ複写・貼付モードなど、制御部（ＣＰＵ）１１の現在の設定動作モードを示すモードデータが記憶される。
【００１５】
範囲指定データメモリ１６ｃには、表示画面に表示されたデータ上でキー操作やマウス操作に応じて指定された範囲（領域）を示す範囲指定データが記憶される。
デジカメ接続フラグメモリ１６ｄには、外部ＩＦ制御部１４を介してクレードル２０に対するデジタルカメラ２１の装着が検知された場合に、当該デジタルカメラ２１との接続を示すフラグデータが記憶される。
対象別ウインドウメモリ１６ｅには、表示データの編集に際して複写・貼付の対象となるデータの４種類の属性「文字」「画像」「ファイル」「デジカメ」毎に区別したウインドウ表示用のホルダ１６e1〜１６e4が用意され、前記範囲指定データ（１６ｃ）に応じて複写・貼付の対象として取り込まれたデータが、それぞれ対応する属性区分のウインドウ表示用ホルダ１６e1〜１６e4に記憶される。
デジカメデータ取り込みメモリ１６ｆには、クレードル２０にて接続されたデジタルカメラ２１から取り込まれた撮影画像データが、個々の撮影画像データ毎にその撮影日付／ファイル名に対応付けられて記憶される。
【００１６】
次に、前記構成のデータ処理システムの動作について説明する。
図４は、前記データ処理装置１０による複写・貼付の起動処理を示すフローチャートである。
例えば通信ネットワーク（インターネット）Ｎを経由して取り込んだ各種のマルチメディアデータ、デジタル放送受信部１９にて受信された各種のマルチメディアデータ、ＤＶＤ−ＲＯＭ、ＣＤ−ＲＯＭ、ＦＤなどの外部記録媒体１３から取り込んだ各種のマルチメディアデータ、あるいはキー入力部１７の操作に応じて入力された文書データ、デジタルカメラ２１から取り込まれた画像データなど、様々な属性の文書データや画像データなどを表示部２２で表示させた状態で、任意のデータ範囲を指定したコピーまたはカットの指示操作が検出判断されると（ステップＳ１）、モードデータメモリ１６ｂに対して複写・貼付モードを示すモードデータがセットされ、図５における複写・貼付のアプリケーションプログラムが起動される（ステップＳＡ）。
一方、複写・貼付モードを起動させるための例えば表示画面上のアイコンの指示操作などに応じて当該複写・貼付モードの呼び出し指示が検出判断されると（ステップＳ２）、前記同様にモードデータメモリ１６ｂに対して複写・貼付モードを示すモードデータがセットされ、図５における複写・貼付のアプリケーションプログラムが起動される（ステップＳＡ）。
【００１７】
図５は、前記データ処理装置１０による複写・貼付の起動処理に応じて起動される複写・貼付処理を示すフローチャートである。
図６は、前記データ処理装置１０による複写・貼付処理での「デジカメ優先ウインドウ表示」（ステップＡ９）に伴い起動されるデジカメ接続ウインドウ切り替え処理を示すフローチャートである。
図７は、前記データ処理装置１０での複写・貼付処理に伴いデータ表示画面Ｇ上に表示されるデジカメ非接続時対象別ウインドウＷ１および各種対象別ウインドウＷｎの画面表示状態を示す図である。
図８は、前記データ処理装置１０での複写・貼付処理に伴いデータ表示画面Ｇ上に表示されるデジカメ優先対象別ウインドウＷ２を示す図である。
【００１８】
デジカメ非接続時対象別ウインドウＷ１は、図７（Ａ）（Ｂ）に示すように、文字用ウインドウｗａ、画像用ウインドウｗｂ、ファイル用ウインドウｗｃをタブで選択可能にして構成され、複写・貼付の対象となるデータの範囲が指定された場合には、その指定された対象データの属性に対応したウインドウが１枚目に設定配置されて表示される。
デジカメ優先対象別ウインドウＷ２は、図８（Ａ）（Ｂ）に示すように、デジカメ用ウインドウｗｐ、文字用ウインドウｗａ、画像用ウインドウｗｂをタブで選択可能にして構成され、複写・貼付の対象となるデータの範囲が指定された場合に、デジタルカメラ２１の接続フラグ（１６ｄ）がセットされている状態では、このデジカメ優先対象別ウインドウＷ２によって、前記範囲指定された対象データの属性に対応したウインドウが１枚目に設定配置されて表示され、また複写・貼付の対象となるデータの範囲が指定されてない場合に、デジタルカメラ２１の接続フラグ（１６ｄ）がセットされている状態では、デジカメ用ウインドウｗｐが１枚目に設定配置されたデジカメ優先対象別ウインドウＷ２が表示される。
【００１９】
なお、デジカメ優先対象別ウインドウＷ２のデジカメ用ウインドウｗｐには、デジカメデータ取り込みメモリ１６ｆに取り込まれた各撮影画像データのファイル名の一覧表示を指定するための「ファイル名」ボタン２３、全撮影画像のサムネイル一覧表示を指定するための「全画像」ボタン２４が設けられる。
すなわち、例えば図７（Ｃ）に示すように、文書データ表示Ｇａと画像データ表示Ｇｂとからなるデータ表示画面Ｇが表示部２２に表示されている状態にあって、図５における複写・貼付処理が起動された場合に、当該データ表示画面Ｇ上で任意のデータ範囲が指定されている（範囲指定データ１６ｃ）と判断された場合には（ステップＡ１）、その範囲指定データ（１６ｃ）に対応するところの複写・貼付の対象となるデータの属性が判別され（ステップＡ２）、デジタルカメラ２１の接続を示すフラグ（１６ｄ）がセットされているか否か判断される（ステップＡ３）。
【００２０】
ここで、デジカメ接続フラグメモリ１６ｄに接続フラグがセットされていると判断されることで、デジタルカメラ２１の接続状態にあると判断された場合には、デジカメ優先対象別ウインドウＷ２（図８参照）が前記ステップＡ２にて判別された対象データの属性に応じたウインドウ（ｗｐ，ｗａ，ｗｂの何れか）を先頭にして表示される（ステップＡ３→Ａ４）。
例えば範囲指定された複写・貼付の対象データの属性が文書データ（Ｇａ）である場合には、文字用ウインドウｗａを先頭にしたデジカメ優先対象別ウインドウＷ２が表示され、またデジタルカメラ２１から取り込まれた画像データ（Ｇｂ）である場合には、デジカメ用ウインドウｗｐを先頭にしたデジカメ優先対象別ウインドウＷ２が表示される。
すると、表示画面上で範囲指定されている対象のデータが前記デジカメ優先対象別ウインドウＷ２にて先頭表示されている属性のウインドウ上に移動表示されると共に（ステップＡ６）、範囲指定データメモリ１６ｃに記憶された範囲指定データに従って、表示画面上で指定された範囲の複写・貼付対象データが抽出され、対象別ウインドウメモリ１６ｅの対応するデータ属性のホルダ（１６e1，１６e2，１６e4の何れか）に記憶保存される（ステップＡ７）。
【００２１】
一方、前記ステップＡ３において、デジカメ接続フラグメモリ１６ｄに接続フラグがセットされてないと判断されることで、デジタルカメラ２１の接続状態にないと判断された場合には、デジカメ非接続時対象別ウインドウＷ１（図７（Ａ）（Ｂ）参照）が前記ステップＡ２にて判別された対象データの属性に応じたウインドウ（ｗａ，ｗｂ，ｗｃの何れか）を先頭にして表示される（ステップＡ３→Ａ５）。
例えば範囲指定された複写・貼付の対象データの属性が文書データ（Ｇａ）である場合には、図７（Ａ）に示すように、文字用ウインドウｗａを先頭にしたデジカメ非接続時対象別ウインドウＷ１が表示され、また画像データ（Ｇｂ）である場合には、図７（Ｂ）に示すように、画像用ウインドウｗｂを先頭にしたデジカメ非接続時対象別ウインドウＷ１が表示される。
すると、表示画面上で範囲指定されている対象のデータが前記デジカメ非接続時対象別ウインドウＷ１にて先頭表示されている属性のウインドウ上に移動表示されると共に（ステップＡ６）、範囲指定データメモリ１６ｃに記憶された範囲指定データに従って、表示画面上で指定された範囲の複写・貼付対象データが抽出され、対象別ウインドウメモリ１６ｅの対応するデータ属性のホルダ（１６e1〜１６e3の何れか）に記憶保存される（ステップＡ７）。
【００２２】
これにより、任意のデータ表示画面Ｇ上において、任意のデータ範囲を指定したコピーまたはカットの指示操作を繰り返し行うことで、範囲指定されたデータはそれぞれその対象データの属性に応じたウインドウに区別されて移動表示され、対象別ウインドウメモリ１６ｅの各対応するデータ属性のホルダ（１６e1〜１６e4）に順次記憶保存されるようになる。
【００２３】
一方、対象別ウインドウメモリ１６ｅに記憶保存された複数のデータのうち任意のデータの貼付処理を行うために、例えば表示画面上のアイコンの指示操作などに応じて当該複写・貼付モードの呼び出し指示が検出判断され、図５における複写・貼付処理が起動された際に、データ表示画面Ｇ上で任意のデータ範囲が指定されてないと判断された場合には（ステップＡ１）、デジタルカメラ２１の接続を示すフラグ（１６ｄ）がセットされているか否か判断される（ステップＡ８）。
【００２４】
ここで、デジカメ接続フラグメモリ１６ｄに接続フラグがセットされていると判断されることで、デジタルカメラ２１の接続状態にあると判断された場合には、デジカメ用ウインドウｗｐを先頭にしたデジカメ優先対象別ウインドウＷ２（図８参照）が表示されると共に、図６におけるデジカメ接続ウインドウ切り替え処理が起動される（ステップＡ９）。
すなわち、図６におけるデジカメ接続ウインドウ切り替え処理が起動されると、クレードル２０によって接続されているデジタルカメラ２１からデジカメデータ取り込みメモリ１６ｆに取り込まれて記憶されているデジカメ画像の日付データが読み出され（ステップＢ１）、図８（Ａ）に示すように、デジカメ優先対象別ウインドウＷ２におけるデジカメ用ウインドウｗｐ上に日付選択ウインドウｗp1として表示される（ステップＢ２）。
このデジカメ優先対象別ウインドウＷ２におけるデジカメ用ウインドウｗｐ上での日付選択ウインドウｗp1の表示状態にあって、当該日付選択ウインドウｗp1にて反転表示されているカーソルＫを移動表示させ、ユーザ所望の撮影画像の日付が選択指定されると（ステップＢ３）、この指定された日付に対応付けられて記憶されている各画像データが読み出され、例えば図８（Ｂ）に示すように、デジカメ優先対象別ウインドウＷ２におけるデジカメ用ウインドウｗｐ上にサムネイル画像Ｐ１，Ｐ２，…として一覧表示される（ステップＢ４）。
【００２５】
また、前記図８（Ａ）で示したデジカメ用ウインドウｗｐ上での日付選択ウインドウｗp1の表示状態にあって、「ファイル名」ボタン２３が操作指示されたと判断された場合には（ステップＢ５）、デジタルカメラ２１からデジカメデータ取り込みメモリ１６ｆに取り込まれて記憶されているデジカメ画像のファイル名データが読み出され（ステップＢ６）、当該デジカメ用ウインドウｗｐ上にファイル名選択ウインドウ（図示せず）として表示される（ステップＢ７）。
このデジカメ優先対象別ウインドウＷ２におけるデジカメ用ウインドウｗｐ上でのファイル名選択ウインドウの表示状態にあって、当該ファイル名選択ウインドウにて反転表示されているカーソルＫを移動表示させ、ユーザ所望の撮影画像のファイル名が選択指定されると（ステップＢ８）、この指定されたファイル名に対応付けられて記憶されている各画像データが読み出され、例えば図８（Ｂ）に示すように、デジカメ優先対象別ウインドウＷ２におけるデジカメ用ウインドウｗｐ上にサムネイル画像Ｐ１，Ｐ２，…として一覧表示される（ステップＢ９）。
【００２６】
また、前記図８（Ａ）で示したデジカメ用ウインドウｗｐ上での日付選択ウインドウｗp1の表示状態にあって、「全画像」ボタン２４が操作指示されたと判断された場合には（ステップＢ１０）、デジタルカメラ２１からデジカメデータ取り込みメモリ１６ｆに取り込まれて記憶されている全てのデジカメ撮影画像が読み出され、例えば図８（Ｂ）に示すように、デジカメ優先対象別ウインドウＷ２におけるデジカメ用ウインドウｗｐ上にサムネイル画像Ｐ１，Ｐ２，…として一覧表示される（ステップＢ１１）。
一方、前記ファイル名選択ウインドウの表示された状態で、例えば「ファイル名」ボタン２３に替えて表示される「日付」ボタン（図示せず）が操作指示されたと判断された場合には（ステップＢ１２）、前記ステップＢ１からの処理に戻り、デジタルカメラ２１からデジカメデータ取り込みメモリ１６ｆに取り込まれて記憶されているデジカメ画像の日付データが読み出され、図８（Ａ）に示すように、デジカメ優先対象別ウインドウＷ２におけるデジカメ用ウインドウｗｐ上に日付選択ウインドウｗp1として表示される（ステップＢ１，Ｂ２）。
【００２７】
このように、対象別ウインドウメモリ１６ｅに記憶保存された複数のデータのうち任意のデータの貼付処理を行う際に、デジタルカメラ２１の接続がある場合には、デジカメ優先対象別ウインドウＷ２が表示されると共に、前記デジカメ接続ウインドウ切り替え処理（図６参照）に従ってユーザ所望の撮影日付やファイル名、あるいは全画像がサムネイル画像Ｐ１，Ｐ２，…として一覧表示される（ステップＡ１→Ａ８→Ａ９）。
そして、例えば図８（Ｂ）で示したようなデジカメ優先対象別ウインドウＷ２におけるデジカメ用ウインドウｗｐ上でのサムネイル画像Ｐ１，Ｐ２，…の一覧表示状態にあって、当該一覧表示されたサムネイル画像Ｐ１，Ｐ２，…のうちの所望の画像が選択指定されると共に、データ表示画面Ｇ上での任意の貼付位置が指定されると、この指定されたデータ表示画面Ｇ上の貼付位置に対して、前記選択指定された所望のデジカメ画像データが貼り付けられて表示される（ステップＡ１１）。
【００２８】
一方、前記ステップＡ８において、デジカメ接続フラグメモリ１６ｄに接続フラグがセットされてないと判断されることで、デジタルカメラ２１の接続状態にないと判断された場合には、例えば図７（Ａ）に示すように、この場合にデフォルト設定されている文字用ウインドウｗａを先頭にしたデジカメ非接続時対象別ウインドウＷ１が表示され、当該文字用ウインドウｗａ（１６e1）に対して予め移動されて保存されている文書データが一覧表示される（ステップＡ１０）。
ここで、前記文字用ウインドウｗａを先頭にしたデジカメ非接続時対象別ウインドウＷ１にあって、例えば画像用ウインドウｗｂのタブが操作指示されたと判断された場合には、当該画像用ウインドウｗｂを先頭にしたデジカメ非接続時対象別ウインドウＷ１が表示され、当該画像用ウインドウｗｂ（１６e2）に対して予め移動されて保存されている画像データが一覧表示される（ステップＡ１０）。
【００２９】
また、例えばファイル用ウインドウｗｃのタブが操作指示されたと判断された場合には、当該ファイル用ウインドウｗｃを先頭にしたデジカメ非接続時対象別ウインドウＷ１が表示され、当該ファイル用ウインドウｗｃ（１６e3）に対して予め移動されて保存されているファイルデータが一覧表示される（ステップＡ１０）。
そして、例えば図７（Ａ）で示したようなデジカメ非接続時対象別ウインドウＷ１における文書用ウインドウｗａ上での文書データの一覧表示状態にあって、当該一覧表示された文書データのうちの所望の文書が選択指定されると共に、データ表示画面Ｇ上での任意の貼付位置が指定されると、この指定されたデータ表示画面Ｇ上の貼付位置に対して、前記選択指定された所望の文書データが貼り付けられて表示される（ステップＡ１１）。
【００３０】
これにより、対象別ウインドウメモリ１６ｅにて予め記憶された文書データ（１６e1）、画像データ（１６e2）、ファイルデータ（１６e3）について、デジカメ非接続時対象別ウインドウＷ１上で適宜一覧表示させ、そのうち所望のデータについて任意に選択指定して容易に貼り付けることができる。
したがって、前記構成のデータ処理システムによれば、文書データ表示Ｇａや画像データ表示Ｇｂからなるデータ表示画面Ｇにあって、任意のデータ範囲を指定してコピーあるいはカットの指示を行うと、対象となるデータの属性が例えば文字列データまたは画像データまたはファイルデータの何れであるか判別され、このデータ属性に対応して同データ表示画面Ｇ上に表示される文字用ウインドウｗａまたは画像用ウインドウｗｂまたはファイル用ウインドウｗｃを先頭とするデジカメ非接続時対象別ウインドウＷ１に対して前記範囲指定された対象のデータが抽出移動されて表示保存される。なおデジタルカメラ２１の接続があると判断された場合には、デジカメ用ウインドウｗｐを有するデジカメ優先対象別ウインドウＷ２に対して前記範囲指定された対象のデータが抽出移動されて表示保存される。
【００３１】
そして、対象別ウインドウメモリ１６ｅにデータの属性別に記憶保存させた複数のデータの何れかを選択指定して貼付処理を行う場合には、貼り付け対象のデータ属性別のウインドウｗａ，ｗｂ，ｗｃを表示させて当該ウインドウ表示された所望のデータ属性の一覧データから選択指定して容易に貼り付け処理することができ、しかもデジタルカメラ２１が接続されている場合には、デジカメ用ウインドウｗｐ上に撮影画像データを日付やファイル名を選択して一覧表示させ、任意の撮影画像データを選択指定して容易に貼り付け処理することができる。
このため、各種の表示データからコピー・カットして記憶保存しておくデータの数が多くなっても、対象となるデータの属性に対応して区別したウインドウｗａ，ｗｂ，ｗｃ，ｗｐ上に移動させて記憶保存させておくことができ、当該データ属性別のウインドウから所望の貼り付け対象のデータを容易に選択指示して任意の表示データ上に簡単に貼り付け処理することができる。
【００３２】
なお、前記実施形態において記載したデータ処理システムによる各処理の手法、すなわち、図４のフローチャートに示す複写・貼付の起動処理、図５のフローチャートに示す前記複写・貼付の起動処理に応じて起動される複写・貼付処理、図６のフローチャートに示す前記複写・貼付処理での「デジカメ優先ウインドウ表示」（ステップＡ９）に伴い起動されるデジカメ接続ウインドウ切り替え処理等の各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体１３に格納して配布することができる。そして、デジタルカメラ２１の接続機能を有するデータ処理装置１０のコンピュータ（制御部（ＣＰＵ）１１）は、この外部記録媒体１３に記憶されたプログラムを記憶装置１２に読み込み、この読み込んだプログラムによって動作が制御されることにより、前記実施形態において説明したデータ属性別のウインドウ表示を伴う複写・貼付機能を実現し、前述した手法による同様の処理を実行することができる。
【００３３】
また、前記各手法を実現するためのプログラムのデータは、プログラムコードの形態として通信ネットワーク（インターネット）Ｎ上を伝送させることができ、この通信ネットワーク（インターネット）Ｎに接続されたコンピュータ端末（プログラムサーバ）から前記のプログラムデータを取り込み、前述したデータ属性別のウインドウ表示を伴う複写・貼付機能を実現することもできる。
なお、本願発明は、前記実施形態に限定されるものではなく、実施段階ではその要旨を逸脱しない範囲で種々に変形することが可能である。さらに、前記実施形態には種々の段階の発明が含まれており、開示される複数の構成要件における適宜な組み合わせにより種々の発明が抽出され得る。例えば、実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【符号の説明】
【００３４】
１０  …データ処理装置
１１  …制御部（ＣＰＵ）
１２  …記憶装置
１３  …外部記録媒体
１４  …外部ＩＦ制御部
１５  …Ｗｅｂサーバ
１６  …メモリ
１７  …キー入力部
１８  …マウス
２０  …クレードル
２１  …デジタルカメラ
２２  …表示部
２３  …「ファイル名」ボタン
２４  …「全画像」ボタン
【図１】
2011014150.tif 000003
【図２】
2011014150.tif 000004
【図３】
2011014150.tif 000005
【図４】
2011014150.tif 000006
【図５】
2011014150.tif 000007
【図６】
2011014150.tif 000008
【図７】
2011014150.tif 000009
【図８】
2011014150.tif 000010